(57)【要約】【課題】折り畳んだ状態での搬入や容易且つ迅速な組み立てが可能であり、商品を展示、陳列する機能を備えた展示台を提供する。【解決手段】展示台１００は、第１側板１３ａ及び第２側板１３ｂが折り線を介して連結された筒状体１１と、第１側板１３ａの上端に橋渡し状に固定され、中央に折り線Ｌ１１が形成された天面部１７と、筒状体１１の内部に収納される支柱１と、を有し、筒状体１１が支柱１と共に平坦状に折り畳まれ、天面部１７が折り線Ｌ１１に沿って二つ折りとなる第１の状態と、輪ゴム３０の付勢力によって支柱１の形状が復元することにより第１側板１３ａが内側から押圧されて筒状体１１が断面六角形状となり、天面部１７が平坦に展開される第２の状態と、に変形可能である。【選択図】図１０
2015097726.tif 000002
【特許請求の範囲】
【請求項１】
対向配置される一対の第１側板と、該第１側板の間に２枚ずつ配置される第２側板と、で構成される６枚の矩形状の側板が折り線を介して連結された筒状体と、
前記第１側板の上端に橋渡し状に固定され、中央に前記第１側板に平行な折り線が形成された天面部と、
前記筒状体の内部に収納される支柱と、
該支柱が前記第１側板を内側から押圧する方向に付勢する弾性部材と、
を有し、
前記第１側板を外側から押圧することにより前記筒状体が前記支柱と共に平坦状に折り畳まれ、前記天面部が折り線に沿って二つ折りとなる第１の状態と、前記支柱によって前記第１側板が内側から押圧されることにより前記筒状体が断面六角形状となり、前記天面部が平坦に展開される第２の状態と、に変形可能であり、
前記第１の状態に保持する外力を除去したとき、前記弾性部材の付勢力によって前記第２の状態に変形することを特徴とする展示台。
【請求項２】
前記筒状体の上端部に立設される表示部を有することを特徴とする請求項１に記載の展示台。
【請求項３】
前記表示部は、前記筒状体の背面を構成する前記第１側板及び該第１側板の両側に隣接する前記第２側板の上端部に亘って立設されており、前記第１の状態にあるとき、前記表示部を前記筒状体の側面に沿って折り返し可能としたことを特徴とする請求項２に記載の展示台。
【請求項４】
前記支柱は、前記第２側板の内側に当接する一対の角筒状部と、該角筒状部に連結され前記第１側板の内側に当接する連結板と、を有し、
前記弾性部材は、前記各角筒状部の夫々において前記連結板と平行方向に対向する稜部に架け渡されることで前記稜部が近接する方向に付勢することを特徴とする請求項１乃至請求項３のいずれかに記載の展示台。
【請求項５】
前記支柱は、折り線を介して順次連設され、前記角筒状部を形成する４枚の角筒形成板と、該角筒形成板の一方の側端縁に折り線を介して連設される連結板と、該連結板の側端縁、及び前記角筒形成板の他方の側端縁に折り線を介して連設される接着片と、を有する同一形状の支柱形成部を二枚組み合わせて形成されることを特徴とする請求項４に記載の展示台。
【請求項６】
前記筒状体は、前記第１側板と、該第１側板の一方の側端縁に折り線を介して順次連設される２枚の第２側板と、前記第２側板の側端縁に折り線を介して連設される接着片と、を有する同一形状の筒状体形成部を二枚組み合わせて形成されることを特徴とする請求項１乃至請求項５のいずれかに記載の展示台。
【請求項７】
対向配置される一対の第１側板と、
該第１側板の間に２枚ずつ配置される第２側板と、
で構成される６枚の矩形状の側板が折り線を介して連結された筒状体と、
前記筒状体の開口を塞いて載置面を形成する平面視六角形状の天面板と、
該天面板の対向する二辺に折り線を介して連設され、前記第１側板の上端に橋渡し状に固定される接着片と、
前記天面板の中央に前記接着片が連設される二辺に平行に形成された折り線と、
を有する天面部と、
前記第２側板の内側に当接する一対の角筒状部と、
該角筒状部を連結するとともに前記第１側板の内側に当接する連結板と、
前記各角筒状部の夫々において前記連結板と平行方向に対向する稜部に形成されたフック部と、
該フック部に架け渡され前記稜部が近接する方向に付勢する弾性部材と、
前記各角筒状部間で互いに対向する稜部に形成された切り込みに沿って前記各角筒状部内に差し込まれる脚部を有する平面視略コ字状の補強板と、
を有し、前記筒状体の内部に収納される支柱と、
を備え、
前記第１側板を外側から押圧することにより前記角筒状部が前記弾性部材の付勢力に抗して変形し、前記筒状体が前記支柱と共に平坦状に折り畳まれ、前記天面部が前記折り線に沿って二つ折りとなる第１の状態と、前記弾性部材の付勢力によって前記角筒状部の前記稜部が近接して前記支柱の形状が復元し、前記第１側板が内側から押圧されることにより前記筒状体が断面六角形状となり、前記天面部が平坦に展開される第２の状態と、に変形可能であり、
前記第１の状態に保持する外力を除去したとき、前記弾性部材の付勢力によって前記第２の状態に変形することを特徴とする展示台。
【発明の詳細な説明】
【技術分野】
【０００１】
本発明は、商品等の陳列棚として使用する、コンパクトに折り畳み可能で現場での組み立て作業も容易な展示台に関するものである。
【背景技術】
【０００２】
従来、スーパーマーケットやドラッグストア等の店舗において新商品の販促キャンペーンを行う場合、顧客に対し、その商品をいかに目立たせて強く印象付けるかが商品の購買チャンスを高めることにつながる。このように、顧客に商品を印象付ける手段として、商品に関する情報を表示したカード等の広告媒体（ＰＯＰ；ポップ広告）が取り付けられた展示台に商品を配置するのが効果的である。
【０００３】
このような展示台に共通する課題として、組み立て前はコンパクトに折り畳んで設置場所への搬入を容易にするとともに、設置場所へ搬入された後は容易に且つ迅速に組み立て可能とすることが挙げられる。例えば、特許文献１には、正面板と、正面板の両側に折り線を介して延設された側面板と、側面板下端部に取り付けられた支え板と、正面板を横に貫くヒンジ部を介して延設され掛り凹部を有する平板と、を有し、側面板に取り付けた輪ゴムを掛り凹部に引っ掛けることにより平板と側面板とが引き合って瞬時に立体化できる弾発立体化ポップ構造体が開示されている。
【０００４】
また、特許文献２には、両側端が折り曲げられた板紙製筒状体からなり、板紙製筒状体の折り曲げられた両側端もしくはその付近に一端側および他端側が固定された弾性部材の付勢力により、折り曲げられた両側端が近接する方向に筒状体が変形することにより自立可能となる展示用表示体が開示されている。
【先行技術文献】
【特許文献】
【０００５】
【特許文献１】実用新案登録第２５９３２４８号公報
【特許文献２】特許第４５３８５００号公報
【発明の概要】
【発明が解決しようとする課題】
【０００６】
しかしながら、特許文献１に記載の弾発立体化ポップ構造体では、筒状体を変形させるための輪ゴムが外部に露出しており、見栄えが良くないという問題点があった。また、特許文献１、２に記載の弾発立体化ポップ構造体及び展示用表示体は、広告を表示する看板としての機能のみを有しており、商品を展示、陳列する機能を有していなかった。
【０００７】
本発明は、上記問題点に鑑み、折り畳んだ状態での搬入や容易且つ迅速な組み立てが可能であり、商品を展示、陳列する機能を備えた展示台を提供することを目的としている。
【課題を解決するための手段】
【０００８】
上記目的を達成するために本発明は、対向配置される一対の第１側板と、該第１側板の間に２枚ずつ配置される第２側板と、で構成される６枚の矩形状の側板が折り線を介して連結された筒状体と、前記第１側板の上端に橋渡し状に固定され、中央に前記第１側板に平行な折り線が形成された天面部と、前記筒状体の内部に収納される支柱と、該支柱が前記第１側板を内側から押圧する方向に付勢する弾性部材と、を有し、前記第１側板を外側から押圧することにより前記筒状体が前記支柱と共に平坦状に折り畳まれ、前記天面部が折り線に沿って二つ折りとなる第１の状態と、前記支柱によって前記第１側板が内側から押圧されることにより前記筒状体が断面六角形状となり、前記天面部が平坦に展開される第２の状態と、に変形可能であり、前記第１の状態に保持する外力を除去したとき、前記弾性部材の付勢力によって前記第２の状態に変形することを特徴とする展示台である。
【０００９】
また本発明は、上記構成の展示台において、前記筒状体の上端部に立設される表示部を有することを特徴としている。
【００１０】
また本発明は、上記構成の展示台において、前記表示部は、前記筒状体の背面を構成する前記第１側板及び該第１側板の両側に隣接する前記第２側板の上端部に亘って立設されており、前記第１の状態にあるとき、前記表示部を前記筒状体の側面に沿って折り返し可能としたことを特徴としている。
【００１１】
また本発明は、上記構成の展示台において、前記支柱は、前記第２側板の内側に当接する一対の角筒状部と、該角筒状部を連結するとともに前記第１側板の内側に当接する一対の連結板と、を有し、前記弾性部材は、前記各角筒状部の夫々において前記連結板と平行方向に対向する稜部に架け渡されることで前記稜部が近接する方向に付勢することを特徴としている。
【００１２】
また本発明は、上記構成の展示台において、前記支柱は、折り線を介して順次連設され、前記角筒状部を形成する４枚の角筒形成板と、該角筒形成板の一方の側端縁に折り線を介して連設される前記連結板と、該連結板の側端縁、及び前記角筒形成板の他方の側端縁に折り線を介して連設される接着片と、を有する同一形状の支柱形成部を二枚組み合わせて形成されることを特徴としている。
【００１３】
また本発明は、上記構成の展示台において、前記筒状体は、前記第１側板と、該第１側板の一方の側端縁に折り線を介して順次連設される２枚の第２側板と、前記第２側板の側端縁に折り線を介して連設される接着片と、を有する同一形状の筒状体形成部を二枚組み合わせて形成されることを特徴としている。
【００１４】
また本発明は、対向配置される一対の第１側板と、該第１側板の間に２枚ずつ配置される第２側板と、で構成される６枚の矩形状の側板が折り線を介して連結された筒状体と、前記筒状体の開口を塞いて載置面を形成する平面視六角形状の天面板と、該天面板の対向する二辺に折り線を介して連設され、前記第１側板の上端に橋渡し状に固定される接着片と、前記天面板の中央に形成された前記接着片が連設される二辺に平行な折り線と、を有する天面部と、前記第２側板の内側に当接する一対の角筒状部と、該角筒状部を連結するとともに前記第１側板の内側に当接する一対の連結板と、前記各角筒状部の夫々において前記連結板と平行方向に対向する稜部に形成されたフック部と、該フック部に架け渡され前記稜部が近接する方向に付勢する弾性部材と、前記各角筒状部間で互いに対向する稜部に形成された切り込みに沿って前記各角筒状部内に差し込まれる脚部を有する平面視略コ字状の補強板と、を有し、前記筒状体の内部に収納される支柱と、を備え、前記第１側板を外側から押圧することにより前記角筒状部が前記弾性部材の付勢力に抗して変形し、前記筒状体が前記支柱と共に平坦状に折り畳まれ、前記天面部が前記折り線に沿って二つ折りとなる第１の状態と、前記弾性部材の付勢力によって前記角筒状部の前記稜部が近接して前記支柱の形状が復元し、前記第１側板が内側から押圧されることにより前記筒状体が断面六角形状となり、前記天面部が平坦に展開される第２の状態と、に変形可能であり、前記第１の状態に保持する外力を除去したとき、前記弾性部材の付勢力によって前記第２の状態に変形することを特徴とする展示台である。
【発明の効果】
【００１５】
本発明の第１の構成によれば、展示台は、筒状体が支柱と共に平坦状に折り畳まれ、天面部が折り線に沿って二つ折りとなる第１の状態と、支柱により第１側板が内側から押圧されることにより筒状体が断面六角形状となり、天面部が平坦に展開される第２の状態と、に変形可能であり、第１の状態に保持する外力を除去したとき、弾性部材の付勢力によって第２の状態に変形する。従って、展示台をコンパクトに折り畳んだ第１の状態で設置場所へ搬入可能であり、組み立て前の保管スペースも小さくなる。また、第１の状態に保持している外力を除去するだけで展示台が第２の状態となるため、展示台の設置作業も容易となる。
【００１６】
また、本発明の第２の構成によれば、上記第１の構成の展示台において、筒状体の上端部に立設される表示部を有することにより、商品を陳列する機能と表示部により商品の宣伝を行う広告宣伝機能の両方を兼ね備えた展示台となる。
【００１７】
また、本発明の第３の構成によれば、上記第２の構成の展示台において、表示部を、筒状体の背面を構成する第１側板及び該第１側板の両側に隣接する第２側板の上端部に亘って立設し、展示台が第１の状態にあるとき、表示部を筒状体の側面に沿って折り返し可能とすることにより、第１の状態では表示部と筒状体とが重なり合うため、展示台をよりコンパクトに折り畳むことができる。
【００１８】
また、本発明の第４の構成によれば、上記第１乃至第３のいずれかの構成の展示台において、支柱は、第２側板の内側に当接する一対の角筒状部と、該角筒状部に連結され第１側板の内側に当接する連結板と、を有し、弾性部材は、各角筒状部の夫々において連結板と平行方向に対向する稜部に架け渡されることで稜部が近接する方向に付勢することにより、平坦に折り畳まれ、且つ、弾性部材によって形状が復元する支柱を簡易な構成で作成することができる。
【００１９】
また、本発明の第５の構成によれば、上記第４の構成の展示台において、折り線を介して順次連設される４枚の角筒形成板と、該角筒形成板の一方の側端縁に折り線を介して連設される連結板と、該連結板の側端縁、及び角筒形成板の他方の側端縁に折り線を介して連設される接着片と、を有する同一形状の支柱形成部を二枚組み合わせて支柱を形成することにより、裁断の制約を受ける大型の支柱も製造可能となる。また、同一形状の支柱形成部を二枚用いることで、支柱形成部の組み合わせを誤るおそれがなくなり、支柱形成部の製造や管理も簡素化できる。
【００２０】
また、本発明の第６の構成によれば、上記第１乃至第５のいずれかの構成の展示台において、第１側板と、該第１側板の一方の側端縁に折り線を介して順次連設される２枚の第２側板と、第２側板の側端縁に折り線を介して連設される接着片と、を有する同一形状の筒状体形成部を二枚組み合わせて筒状体を形成することにより、印刷や裁断の制約を受ける大型の展示台も製造可能となる。また、同一形状の筒状体形成部を二枚用いることで、筒状体形成部の組み合わせを誤るおそれがなくなり、筒状体形成部の製造や管理も簡素化できる。
【００２１】
また、本発明の第７の構成によれば、各角筒状部の夫々において連結板と平行方向に対向する稜部にフック部を形成し、フック部に弾性部材を架け渡すことで稜部が近接する方向に付勢することにより、第１側板を外側から押圧することで角筒状部が弾性部材の付勢力に抗して変形し、筒状体が支柱と共に平坦状に折り畳まれ、天面部が折り線に沿って二つ折りとなる第１の状態と、弾性部材の付勢力によって角筒状部の稜部が近接して支柱の形状が復元し、第１側板が内側から押圧されることにより筒状体が断面六角形状となり、天面部が平坦に展開される第２の状態と、に変形可能となるため、第１の状態に保持する外力を除去するだけで、弾性部材の付勢力によって簡単に第２の状態に変形する展示台となり、設置場所において展示台を簡単に組み立てることができ、組み立てた後の展示台の形状も安定する。また、展示台はコンパクトに折り畳んだ第１の状態で設置場所に搬入されるため、搬入作業も容易となり、組み立て前の保管スペースも小さくなる。
【図面の簡単な説明】
【００２２】
【図１】本発明の一実施形態に係る展示台１００の支柱１を構成する支柱形成部１ａ、１ｂの展開図
【図２】本実施形態の展示台１００の支柱１を構成する補強板１０の平面図
【図３】本実施形態の展示台１００の筒状体１１を構成する筒状体形成部１１ａ、１１ｂの展開図
【図４】本実施形態の展示台１００を構成する天面部１７の展開図
【図５】本実施形態の展示台１００を構成する表示部２１の平面図
【図６】本実施形態の展示台１００の組み立て途中の状態を示す斜視図であり、支柱形成部１ａを折り線Ｌ１〜Ｌ５に沿って折り曲げ、接着片５ａを角筒形成板２ｄに貼り合わせて角筒状部２を形成した状態を示す図
【図７】本実施形態の展示台１００の組み立て途中の状態を示す斜視図であり、図６の状態の支柱形成部１ａ、１ｂを貼り合わせ、補強板１０を挿入して支柱１を組み立てた状態を示す図
【図８】組み立てられた支柱１を底面側（図７の下側）から見た平面図
【図９】本実施形態の展示台１００の組み立て途中の状態を示す斜視図であり、筒状体１に表示部２１を取り付けた状態を示す図
【図１０】本実施形態の展示台１００を組み立てた状態（第２の状態）を示す斜視図
【図１１】本実施形態の展示台１００から天面部１７を取り外した状態を示す斜視図
【図１２】第１の状態に折り畳まれた本実施形態の展示台１００の平面図
【発明を実施するための形態】
【００２３】
以下、図面を参照しながら本発明の実施形態について説明する。なお、以下に示す各展開図においては、折り線を破線、切り込み線を実線で示すものとする。図１は、本発明の一実施形態に係る展示台１００の支柱１（図７参照）を構成する支柱形成部１ａ、１ｂの展開図、図２は、支柱１を補強する補強板１０の平面図、図３は、展示台１００の筒状体１１（図９参照）を構成する筒状体形成部１１ａ、１１ｂの展開図、図４は、展示台１００を構成する天面部１７の平面図、図５は、展示台１００を構成する表示部２１の平面図である。支柱形成部１ａ、１ｂ、補強板１０は、段ボールシートを所定の形状に打ち抜いて形成されており、筒状体形成部１１ａ、１１ｂ、天面部１７、表示部２１は、カード紙を所定の形状に打ち抜いて形成されている。なお、支柱形成部１ｂは支柱形成部１ａと全く同一の形状であり、筒状体形成部１１ｂは筒状体形成部１１ａと全く同一の形状であるため、ここでは支柱形成部１ａ、筒状体形成部１１ａの構成についてのみ説明する。
【００２４】
図１に示すように、支柱形成部１ａは、折り線Ｌ１〜Ｌ３を介して連設され、角筒状部２（図６参照）を形成する矩形状の角筒形成板２ａ〜２ｄと、角筒形成板２ｄの側端縁に折り線Ｌ４を介して連設される矩形状の連結板３と、角筒形成板２ａの側端縁に折り線Ｌ５を介して連設される接着片５ａと、連結板３の側端縁に折り線Ｌ６を介して連設される接着片５ｂとを有する。角筒形成板２ａ、２ｂの境界部分、及び角筒形成板２ｃ、２ｄの境界部分には、折り線Ｌ１、Ｌ３を跨ぐように略Ｔ字状のフック部７が形成されている。また、角筒形成板２ａ、２ｂの境界部分には、フック部７から支柱形成部１ａの上端に至る切り込み９が折り線Ｌ１に沿って形成されている。
【００２５】
図２に示すように、補強板１０は、矩形状の段ボールシートの一部が切り欠かれて脚部１０ａ、１０ｂが形成された平面視コ字状である。
【００２６】
図３に示すように、筒状体形成部１１ａは、矩形状の第１側板１３ａと、第１側板１３ａの側端縁に折り線Ｌ７、Ｌ８を介して順次連設される第１側板１３ａよりも幅狭の第２側板１３ｂ、１３ｃと、第２側板１３ｃの側端縁に折り線Ｌ９を介して連設される接着片１５とを有する。第１側板１３ａは、断面六角形状の筒状体１１（図９参照）の正面または背面（長辺部）を構成する。また、第２側板１３ｂ、１３ｃは、筒状体１１の側面（短辺部）を構成する。
【００２７】
図４に示すように、天面部１７は、六角形状の天面板１９と、天面板１９の対向する二辺（長辺）に折り線Ｌ１０を介して連設される一対の接着片２０とで構成されている。また、天面板１９の長手方向の頂点を結び、天面板１９の長辺（折り線Ｌ１０）に平行な折り線Ｌ１１が形成されており、天面板１９は折り線Ｌ１１に沿って二つ折りできるようになっている。
【００２８】
図５に示すように、表示部２１は筒状体１１（図９参照）の上端部に取り付けられる平面視略台形状のシート材であり、絵や写真、文字等が印刷または貼り付けられることで商品の宣伝を行う部分である。表示部２１の下端部には折り線Ｌ１２を介して接着片２３ａ、２３ｂが連設されている。接着片２３ａは筒状体１１の長辺部（第１側板１３ａ）に接着され、接着片２３ｂは筒状体１１の長辺部の両側の短辺部（第２側板１３ｂ、１３ｃ）に接着される。また、接着片２３ａ、２３ｂの境界部分から上方に延びる折り線Ｌ１３が形成されている。なお、表示部２１に限らず、筒状体形成部１１ａ、１１ｂ、天面部１７にも予め印刷等を施しておいても良い。
【００２９】
次に、本実施形態の展示台１００の組み立て手順について説明する。先ず、図１に示した支柱形成部１ａを折り線Ｌ１〜Ｌ６に沿って山折りし、接着片５ａを角筒形成板２ｄの裏面側から折り線Ｌ４に沿って接着することにより角筒状部２を形成する。そして、２箇所のフック部７に輪ゴム３０を架け渡すことにより、図６に示すように支柱形成部１ａが組み立てられる。また、支柱形成部１ｂについても同様の手順で組み立てることにより、同一形状の一対の支柱形成部１ａ、１ｂが組み立てられる。
【００３０】
次に、図６に示した支柱形成部１ａの接着片５ｂを支柱形成部１ｂの角筒形成板２ｂに折り線Ｌ２に沿って接着する。同様に、支柱形成部１ｂの接着片５ｂを支柱形成部１ａの角筒形成板２ｂに折り線Ｌ２に沿って接着する。そして、補強板１０（図２参照）の脚部１０ａ、１０ｂを切り込み９に沿って支柱形成部１ａ、１ｂの角筒状部２に差し込む。これにより、図７及び図８に示すような断面六角形状の支柱１が形成される。フック部７に架け渡された輪ゴム３０は、角筒状部２の連結板３と平行方向（図８の左右方向）に対向する稜部が近接する方向に付勢する。これにより、角筒形成板２ａと２ｄ、角筒形成板２ｂと２ｃがそれぞれ接近して角筒状部２の形状が保持されるため、支柱１の立体形状が断面六角形状に保持される。
【００３１】
一方、図３に示した筒状体形成部１１ａ、１１ｂを折り線Ｌ７〜Ｌ９に沿って山折りし、筒状体形成部１１ａの接着片１５を筒状体形成部１１ｂの第１側板１３ａの側端縁に沿って接着する。同様に、筒状体形成部１１ｂの接着片１５を筒状体形成部１１ａの第１側板１３ａの側端縁に沿って接着する。これにより、図９に示すような筒状体１１が組み立てられる。そして、図５に示した表示部２１の接着片２３ａを筒状体１１の背面を構成する第１側板１３ａの上端部に内側から接着し、接着片２３ｂを第１側板１３ａに隣接する第２側板１３ｂ、１３ｃの上端部に内側から接着する。
【００３２】
次いで、図４に示した天面部１７の一対の接着片２０を、筒状体１１の正面及び背面を構成する対向する第１側板１３ａの上端部に内側から接着する。最後に、図７のように組み立てられた支柱１を筒状体１１の下端部の開口から挿入することにより、筒状体１１が断面六角形状に展張されるとともに天面板１９が支柱１の上端に当接して支持され、図１０に示したような展示台１００の組み立てが完了する。接着片５ａ、５ｂと角筒形成板２ｄ、２ｂとの接着、接着片１５と第１側板１３ａとの接着、接着片２３ａ、２３ｂと第１側板１３ａ、第２側板１３ｂ、１３ｃとの接着、接着片２０と第１側板１３ａとの接着にはホットメルト接着剤等が用いられる。
【００３３】
図１０のように組み立てられた展示台１００は、筒状体１１を正面側及び背面側（図１０に矢印で示す第１側板１３ａの対向する方向）から押圧することで、内部に収納された支柱１の輪ゴム３０（図８参照）が付勢力に抗して引き伸ばされ、筒状体１１が支柱１と共に平坦に折り畳まれる。また、筒状体１１の上端部に取り付けられた天面部１７も、天面板１９に形成された折り線Ｌ１１に沿って二つ折りとなる。そして、表示部２１を折り線Ｌ１２に沿って筒状体１１の背面側へ折り返すことで、図１２に示すように全体が平坦に折り畳まれた状態（第１の状態）となる。図１２のように折り畳まれた展示台１００は、結束バンド等で結束するか、或いは外装袋に挿入されることで第１の状態のまま設置場所へ搬入される。
【００３４】
図１２に示した第１の状態で設置場所へ搬入された展示台１００は、背面側に折り返されていた表示部２１を折り線Ｌ１２に沿って起こすとともに、筒状体１１を平坦に保持していた外力を除去する。これにより、外力によって伸長していた支柱１内の輪ゴム３０が収縮し、支柱１が立体形状に復元する。その結果、支柱１が収納された筒状体１１が六角柱状に復元し、二つ折りになっていた天面部１７も平坦に展開され、表示部２１も折り線Ｌ１３に沿って屈曲して自立することにより、展示台１００が図１０に示した状態（第２の状態）に組み立てられる。組み立てられた展示台１００は、天面板１９に商品を陳列する機能（シェルフ機能）と表示部２１により商品の宣伝を行う広告宣伝機能の両方を兼ね備えている。
【００３５】
本実施形態の展示台１００は、コンパクトに折り畳んだ第１の状態で設置場所への搬入が可能であり、保管スペースも小さくなる。また、筒状体１１を押圧していた外力を除去するだけで輪ゴム３０の付勢力によって第２の状態に変形するため、展示台１００の設置作業も容易となる。
【００３６】
その他本発明は、上記実施形態に限定されず、本発明の趣旨を逸脱しない範囲で種々の変更が可能である。例えば、上記実施形態では展示台１００を構成する支柱１、補強板１０を段ボールシートで形成し、筒状体１１、天面部１７、表示部２１をカード紙で形成したが、段ボールシートやカード紙に限らず、他の厚紙や樹脂シート等のシート材を用いて形成することもできる。また、輪ゴム３０に代えて、ゴム紐やコイルバネ等の他の弾性部材を用いることもできる。
【００３７】
また、上記実施形態では、同一形状の筒状体形成部１１ａ、１１ｂを二枚組み合わせて筒状体１１を形成しているが、筒状体形成部１１ａ、１１ｂを連続した一枚のシートとしても良い。但し、展示台１００を構成する筒状体１１が大型である場合、筒状体１１を組み立てる前のシートも大型になるため、印刷機や裁断機の制約を受けやすくなる。そこで、二枚の筒状体形成部１１ａ、１１ｂを組み合わせて筒状体１１を形成することで、一枚のシートとする場合の半分の大きさとなるため、印刷や裁断の制約を受けることなく大型の展示台も製造可能となる。このとき、同一形状の筒状体形成部１１ａ、１１ｂを二枚用いることで、筒状体形成部１１ａ、１１ｂの組み合わせを誤るおそれがなくなり、筒状体形成部１１、１１ｂの製造や管理も簡素化できる。また、同一形状の支柱形成部１ａ、１ｂを二枚組み合わせて支柱１を形成することで、上記と同様の効果が得られる。
【００３８】
また、表示部２１の形状や大きさについても特に制限はなく、設置場所やデザイン性に応じて適宜変更することができる。また、表示部２１は必須の構成要素ではなく、必要に応じて用いることができる。
【産業上の利用可能性】
【００３９】
本発明は、折り畳んだ状態で搬入され、設置場所で立体形状に組み立てられる展示台に利用可能である。本発明の利用により、コンパクトに折り畳んだ状態での搬入や容易且つ迅速な組み立てが可能で、組み立て後の形態も安定したものとなる、構成が簡単で低コストな展示台を提供することができる。
【符号の説明】
【００４０】
１                支柱
１ａ、１ｂ        支柱形成部
２                角筒状部
２ａ〜２ｄ        角筒形成板
３                連結板
５ａ、５ｂ        接着片（支柱形成部）
７                フック部
９                切り込み
１０              補強板
１０ａ、１０ｂ    脚部
１１              筒状体
１１ａ、１１ｂ    筒状体形成部
１３ａ            第１側板
１３ｂ、１３ｃ    第２側板
１５              接着片（筒状体形成部）
１７              天面部
１９              天面板
２０              接着片（天面部）
２１              表示部
２３ａ、２３ｂ    接着片（表示部）
３０              輪ゴム（弾性部材）
１００            展示台
Ｌ１〜Ｌ１３      折り線
【図１】
2015097726.tif 000003
【図２】
2015097726.tif 000004
【図３】
2015097726.tif 000005
【図４】
2015097726.tif 000006
【図５】
2015097726.tif 000007
【図６】
2015097726.tif 000008
【図７】
2015097726.tif 000009
【図８】
2015097726.tif 000010
【図９】
2015097726.tif 000011
【図１０】
2015097726.tif 000012
【図１１】
2015097726.tif 000013
【図１２】
2015097726.tif 000014